(57)【特許請求の範囲】
【請求項１】
集合住宅の集合玄関に設置される集合玄関機（１）と、前記集合住宅の各住戸内に設置され、前記集合玄関機からの呼び出しに応答して前記集合玄関機との間で通話を成立させるための居室親機（２、２、・・・）と、前記集合住宅の管理室内に設置され、前記集合玄関機又は前記居室親機からの呼び出しに応答して通話を成立させるとともに前記居室親機を呼び出して通話を成立させるための管理室親機（８）と、前記集合玄関機、前記居室親機及び前記管理室親機にそれぞれ接続され、前記呼び出し、前記通話の制御を行うための制御機（９）とを設ける集合住宅インターホンシステムであって、
前記居室親機には、前記集合玄関機又は前記管理室親機との間でハンズフリー通話を成立させるための親機マイク（２００）及び親機スピーカ（２０１）と、前記集合玄関機又は前記管理室親機との間でハンドセット通話を成立させるための親機ハンドセット（２０２）と、前記ハンドセット通話の成立中における前記ハンドセットの脱落、断線等の異常状態を検出するための親機異常検出回路（２０４）と、前記ハンズフリー通話又は前記ハンドセット通話の開始から終了までの通話時間を計時するための親機タイマ（２０７）と、前記親機異常検出回路にて異常状態が検出されたとき、前記ハンドセット通話から前記ハンズフリー通話に切換えるための親機制御部（２０８）とを備え、
前記居室親機及び前記制御機の間を接続する住戸アダプタ（７）が設けられ、
前記住戸アダプタには、前記居室親機とは異なる前記住戸内のハンズフリー通話手段を構成する外部通話機器（３、３、・・・、４、４、・・・、５、５、・・・、６、６、・・・）を接続するためのインターフェース（７００）と、前記居室親機の親機異常検出回路にて異常状態が検出されたとき、前記居室親機による前記ハンドセット通話から当該居室親機による前記ハンズフリー通話及び前記外部通話機器によるハンズフリー通話のうち少なくとも１の当該ハンズフリー通話に切換えるためのアダプタ制御部（７０４）とを備えることを特徴とする集合住宅インターホンシステム。
【請求項２】
前記居室親機の親機制御部は、前記親機異常検出回路にて異常状態が検出されたとき、前記親機タイマによる前記通話時間の計時を継続することを特徴とする請求項１記載の集合住宅インターホンシステム。
【請求項３】
集合住宅の集合玄関に設置される集合玄関機（１）と、前記集合住宅の各住戸内に設置され、前記集合玄関機からの呼び出しに応答して前記集合玄関機との間で通話を成立させるための居室親機（２、２、・・・）と、前記集合住宅の管理室内に設置され、前記集合玄関機又は前記居室親機からの呼び出しに応答して通話を成立させるとともに前記居室親機を呼び出して通話を成立させるための管理室親機（８）と、前記集合玄関機、前記居室親機及び前記管理室親機にそれぞれ接続され、前記呼び出し、前記通話の制御を行うための制御機（９）と、前記居室親機及び前記制御機の間を接続する住戸アダプタ（７、７、・・・）とを設ける集合住宅インターホンシステムであって、
前記住戸アダプタには、前記居室親機とは異なる前記住戸内のハンズフリー通話手段を構成する外部通話機器（３、３、・・・４、４、・・・、５、５、・・・、６、６、・・・）を接続するためのインターフェース（７００）と、前記居室親機及び前記住戸アダプタの間を接続する伝送路（Ｌ10、Ｌ10、・・・）の断線等の異常状態を検出するためのアダプタ異常検出回路（７０２）と、前記アダプタ異常検出回路にて異常状態が検出されたとき、前記居室親機による前記ハンドセット通話から前記外部通話機器によるハンズフリー通話に切換えるためのアダプタ制御部（７０４）とを備えることを特徴とする集合住宅インターホンシステム。
【請求項４】
前記住戸アダプタには、前記ハンドセット通話の開始から終了までの通話時間を計時するためのアダプタタイマ（７０３）を備えることを特徴とする請求項３記載の集合住宅インターホンシステム。
【発明の詳細な説明】
【技術分野】
【０００１】
本発明は、高齢者向けマンション、高齢者用看護施設等に設置される集合住宅インターホンシステムに係り、特に、緊急時において迅速な対応を可能とした集合住宅インターホンシステムに関する。
【背景技術】
【０００２】
従来から、室内親機から結線を経由して玄関子機に供給する電源を監視し、その監視結果に基づき結線が外れた事を検出した場合、室内親機及び玄関子機双方で警報音を発生させることにより、玄関子機の盗難防止を行うインターホン装置が開示されている（例えば、特許文献１を参照。）。
【先行技術文献】
【特許文献】
【０００３】
【特許文献１】特開２０００−２８６９７１号公報
【発明の概要】
【発明が解決しようとする課題】
【０００４】
背景技術に記載した特許文献１によれば、室内親機と玄関子機間の結線が外れた事の警報発報を行うことができるものの、室内親機のハンドセットを使用して玄関子機の子機マイク及び子機スピーカとの間の通話路が形成され音声信号を送受信しているとき、家主（居住者と同意。）が、例えば、高齢者であって、この高齢者が発作等で転倒し、ハンドセットが脱落、断線等するような異常状態が発生すると、前述の通話路が遮断されてしまい、訪問者にとっては、緊急事態である家主の状況を伺い知ることが困難とされ、迅速な対応ができない虞があった。
【０００５】
本発明は、この難点を解消するためになされたもので、居室親機のハンドセット通話機能を有するハンドセットが脱落、断線等した場合、若しくはハンドセット通話が成立中の居室親機と住戸アダプタとの間のシステム配線が断線等するような異常状態が発生した場合において、他の通話手段へ自動的に切換えることで通話状態を維持し、緊急時において迅速な対応を可能とした集合住宅インターホンシステムを提供することを目的としている。
【課題を解決するための手段】
【０００６】
前述の目的を達成するため、本発明の第１の態様である集合住宅インターホンシステムは、集合住宅の集合玄関に設置される集合玄関機と、集合住宅の各住戸内に設置され、集合玄関機からの呼び出しに応答して集合玄関機との間で通話を成立させるための居室親機と、集合住宅の管理室内に設置され、集合玄関機又は居室親機からの呼び出しに応答して通話を成立させるとともに居室親機を呼び出して通話を成立させるための管理室親機と、集合玄関機、居室親機及び管理室親機にそれぞれ接続され、呼び出し、通話の制御を行うための制御機とを設ける集合住宅インターホンシステムである。居室親機には、集合玄関機又は管理室親機との間でハンズフリー通話を成立させるための親機マイク及び親機スピーカと、集合玄関機又は管理室親機との間でハンドセット通話を成立させるための親機ハンドセットと、ハンドセット通話の成立中におけるハンドセットの脱落、断線等の異常状態を検出するための親機異常検出回路と、ハンズフリー通話又はハンドセット通話の開始から終了までの通話時間を計時するための親機タイマと、親機異常検出回路にて異常状態が検出されたとき、ハンドセット通話からハンズフリー通話に切換えるための親機制御部とを備えるものである。居室親機及び制御機の間を接続する住戸アダプタが設けられ、住戸アダプタには、居室親機とは異なる住戸内のハンズフリー通話手段を構成する外部通話機器を接続するためのインターフェースと、居室親機の親機異常検出回路にて異常状態が検出されたとき、居室親機によるハンドセット通話から当該居室親機によるハンズフリー通話及び外部通話機器によるハンズフリー通話のうち少なくとも１の当該ハンズフリー通話に切換えるためのアダプタ制御部とを備えるものである。
【０００７】
また、本発明の第２の態様である集合住宅インターホンシステムは、本発明の第１の態様において、居室親機の親機制御部は、親機異常検出回路にて異常状態が検出されたとき、親機タイマによる通話時間の計時を継続するものである。
【０００８】
また、本発明の第３の態様である集合住宅インターホンシステムは、集合住宅の集合玄関に設置される集合玄関機と、集合住宅の各住戸内に設置され、集合玄関機からの呼び出しに応答して集合玄関機との間で通話を成立させるための居室親機と、集合住宅の管理室内に設置され、集合玄関機又は居室親機からの呼び出しに応答して通話を成立させるとともに居室親機を呼び出して通話を成立させるための管理室親機と、集合玄関機、居室親機及び管理室親機にそれぞれ接続され、呼び出し、通話の制御を行うための制御機と、居室親機及び制御機の間を接続する住戸アダプタとを設ける集合住宅インターホンシステムであって、住戸アダプタには、居室親機とは異なる住戸内のハンズフリー通話手段を構成する外部通話機器を接続するためのインターフェースと、居室親機及び住戸アダプタの間を接続する伝送路の断線等の異常状態を検出するためのアダプタ異常検出回路と、アダプタ異常検出回路にて異常状態が検出されたとき、居室親機によるハンドセット通話から外部通話機器によるハンズフリー通話に切換えるためのアダプタ制御部とを備えるものである。
【０００９】
また、本発明の第４の態様である集合住宅インターホンシステムは、本発明の第３の態様において、住戸アダプタには、ハンドセット通話の開始から終了までの通話時間を計時するためのアダプタタイマを備えるものである。
【発明の効果】
【００１０】
本発明の集合住宅インターホンシステムによれば、居室親機の親機ハンドセットを使用したハンドセット通話が成立しているとき、この親機ハンドセットが脱落、断線等した場合には、親機タイマにて計時されているハンドセット通話の開始からの所定の通話時間の計時動作を継続させた状態で、親機マイク及び親機スピーカの使用によるハンズフリー通話、住戸アダプタに接続される外部通話機器を使用したハンズフリー通話のうち、少なくとも１の当該ハンズフリー通話に切換えることができる。これにより、親機ハンドセットを脱落、断線等させた居住者が例えば、高齢者であって、この高齢者が発作等で転倒した緊急時であっても、通話相手先の人物は、ハンズフリー通話により高齢者の様子を伺い知ることができ、必要に応じて迅速な対応が可能となるばかりでなく、ハンドセット通話からハンズフリー通話に切換えられても、通話時間の計時が延長されることがないため、無駄に長い時間の通話動作を回避できる。
【００１１】
また、本発明の集合住宅インターホンシステムによれば、居室親機の親機ハンドセットを使用したハンドセット通話が成立しているとき、この居室親機及び住戸アダプタの間を接続する伝送路に断線等が発生した場合には、親機タイマにて計時されているハンドセット通話の開始からの所定の通話時間の計時動作をアダプタタイマにて継続させた状態で、住戸アダプタに接続される外部通話機器を使用したハンズフリー通話のうち、少なくとも１の当該ハンズフリー通話に切換えることができる。これにより、居室親機及び住戸アダプタの間を接続する伝送路に断線等が発生した緊急時であっても、通話相手先の人物は、ハンズフリー通話により居住者の様子を伺い知ることができ、必要に応じて迅速な対応が可能となるばかりでなく、ハンドセット通話からハンズフリー通話に切換えられても、通話時間の計時が延長されることがないため、無駄に長い時間の通話動作を回避できる。
【図面の簡単な説明】
【００１２】
【図１】図１は、本発明の実施例による集合住宅インターホンシステムの全体構成を示すシステム説明図である。
【図２】図２（Ａ）、（Ｂ）はそれぞれ、本発明の実施例による集合住宅インターホンシステムにおける居室親機、住戸アダプタの具体的な構成を示すブロック図である。
【発明を実施するための最良の形態】
【００１３】
以下、本発明の集合住宅インターホンシステムを適用した最良の実施の形態例について、図面を参照して説明する。
【００１４】
図１は、本発明の実施例による集合住宅インターホンシステムの全体構成を示すシステム説明図である。この集合住宅インターホンシステムは、高齢者向けマンション、高齢者用看護施設等に設置されるものであって、集合玄関に設置される集合玄関機１と、（１０１号室、１０２号室、・・・のような）複数の住戸毎の各住戸内に設置される居室親機２、２、・・・と、住戸内の天井に設置されハンズフリー通話機能を有する天井マイク３、３、・・・及び天井スピーカ４、４、・・・と、住戸内の例えば、ベッドサイドに設置されハンズフリー通話機能を有する居室子機５、５、・・・と、住戸内におけるセキュリティ異常、例えば、火災、ガス漏れ等の発生を監視し、その発生時において警報発報することが可能でありハンズフリー通話機能を有する警報監視盤６、６、・・・と、個別のライン（以下、居室親機ライン、マイクライン、スピーカライン、居室子機ライン、監視盤ラインという。）Ｌ10、Ｌ10、・・・、Ｌ11、Ｌ11、・・・、Ｌ12、Ｌ12、・・・、Ｌ13、Ｌ13、・・・、Ｌ14、Ｌ14、・・・をそれぞれ経由して居室親機２、２、・・・、天井マイク３、３、・・・、天井スピーカ４、４、・・・、居室子機５、５、・・・、警報監視盤６、６、・・・が接続される住戸アダプタ７、７、・・・と、管理室内に設置される管理室親機８と、玄関機ラインＬ1を経由して接続される集合玄関機１、アダプタラインＬ2を経由して接続される住戸アダプタ７、７、・・・及び管理室親機ラインＬ3を経由して接続される管理室親機８をそれぞれ制御するための制御機９とが設けられている。
【００１５】
なお、制御機９が有する具体的な制御機能とは、例えば、集合玄関機１から居室親機２、２、・・・又は管理室親機８を呼び出して通話を成立させるための制御、居室親機２、２、・・・から管理室親機８を呼び出して通話を成立させるための制御、管理室親機８から居室親機２、２、・・・を個別又は一斉に呼び出して通話を成立させる制御が該当する。
【００１６】
図１において、集合玄関機１には、集合玄関に居る人物、例えば、来訪者が、複数の住戸のうち呼出相手先である特定の住戸内に在室中の居住者、又は管理室内に在室中の管理人との間で通話を成立させる、ここでは、ハンズフリー通話を成立させるための音声（送話音声、受話音声）を入出力する玄関機マイク１００及び玄関機スピーカ１０１が備えられている。なお、集合玄関機１には、ハンドセット通話を成立させるためのハンドセットを備えることもできる。
【００１７】
また、居室親機２、２、・・・はそれぞれ同様な構成であって、居住者が、呼出元である来訪者又は管理人、若しくは呼出相手先である管理人との間で通話を成立させる、ここでは、ハンズフリー通話を成立させるための音声（送話音声、受話音声）を入出力する親機マイク２００及び親機スピーカ２０１と、ハンドセット通話を成立させるための音声（送話音声、受話音声）を入出力する親機ハンドセット２０２と、居住者による親機ハンドセット２０２の取り上げの有無に起因してフックオフ／フックオンが切り換わるフックスイッチ２０３とが備えられている。
【００１８】
また、居室子機５、５、・・・はそれぞれ同様な構成であって、前述の天井マイク３、３、・・・及び天井スピーカ４、４、・・・、警報監視盤６、６、・・・と同様に居室親機２、２、・・・とは異なり住戸内に設置される外部通話機器を構成し、居住者が、呼出元である来訪者又は管理人、若しくは呼出相手先である管理人との間でハンズフリー通話を成立させるための音声（送話音声、受話音声）を入出力する子機マイク５００及び子機スピーカ５０１が備えられている。
【００１９】
また、警報監視盤６には、居住者が、呼出元である来訪者又は管理人、若しくは呼出相手先である管理人との間でハンズフリー通話を成立させるための音声（送話音声、受話音声）を入出力する監視盤マイク６００及び監視盤スピーカ６０１が備えられており、この監視盤スピーカ６０１は、住戸内において発生したセキュリティ異常を警報発報する機能も有している。
【００２０】
さらに、管理室親機８には、管理人が、呼出元である来訪者又は居住者、若しくは呼出相手先である居住者との間で通話を成立させる、ここでは、ハンズフリー通話を成立させるための音声（送話音声、受話音声）を入出力する管理室マイク８００及び管理室スピーカ８０１と、ハンドセット通話を成立させるための音声（送話音声、受話音声）を入出力する管理室ハンドセット８０２とが備えられている。
【００２１】
次に、前述の構成各部のうち、居室親機２、２、・・・及び住戸アダプタ７、７、・・・の具体的な構成について、図２（Ａ）、（Ｂ）の各ブロック図を参照して説明する。
【００２２】
居室親機２、２、・・・は、図２（Ａ）に示すように、前述の親機マイク２００、親機スピーカ２０１、親機ハンドセット２０２及びフックスイッチ２０３と、親機異常検出回路２０４と、ハンズフリー通話用音声処理部２０５と、ハンドセット通話用音声処理部２０６と、親機タイマ２０７と、親機制御部２０８と、親機インターフェース（以下、同様なインターフェースについては「Ｉ／Ｆ」という。）２０９とが備えられている。なお、図２（Ａ）において、居室親機２、２、・・・についての図示は、ハンズフリー通話機能、ハンドセット通話機能及び、これら機能の制御機能のみを表しているものとする。
【００２３】
この居室親機２、２、・・・において、親機異常検出回路２０４は、親機ハンドセット２０２の使用によるハンドセット通話の成立中における当該ハンドセットの脱落、断線等の異常状態を検出するためのものである。
【００２４】
ハンズフリー通話用音声処理部２０５は、親機マイク２００及び親機スピーカ２０１にて入出力される音声（送話音声、受話音声）信号について所定の信号処理を行う、例えば、増幅するためのものである。また、ハンドセット通話用音声処理部２０６は、親機ハンドセット２０２にて入出力される音声（送話音声、受話音声）信号について所定の信号処理を行う、例えば、増幅するためのものである。
【００２５】
親機タイマ２０７は、親機マイク２００及び親機スピーカ２０１の使用によるハンズフリー通話、又は親機ハンドセット２０２の使用によるハンズフリー通話の開始から終了するまでの通話時間を計時するためのものであり、この親機タイマ２０７の計時機能は、親機制御部２０８に備えることもできる。また、親機制御部２０８は、当該居室親機の構成各部を制御するためのものである。さらに、親機Ｉ／Ｆ２０９は、ハンズフリー通話用音声処理部２０５と居室親機ラインＬ10との間の信号伝送路、ハンドセット通話用音声処理部２０６と居室親機ラインＬ10との間の信号伝送路、親機制御部２０８と居室親機ラインＬ10との間の信号伝送路を、それぞれ形成するためのものである。
【００２６】
また、住戸アダプタ７、７、・・・はそれぞれ同様な構成であり、図２（Ｂ）に示すように、住戸内側アダプタＩ／Ｆ７００、住戸外側アダプタＩ／Ｆ７０１、アダプタ異常検出回路７０２、アダプタタイマ７０３及びアダプタ制御部７０４が備えられている。
【００２７】
この住戸アダプタ７、７、・・・において、住戸内側アダプタＩ／Ｆ７００は、居室親機ラインＬ10、Ｌ10、・・・とアダプタ制御部７０４との間の信号伝送路、天井マイクラインＬ11、Ｌ11、・・・及び天井スピーカラインＬ12、Ｌ12、・・・とアダプタ制御部７０４との間の信号伝送路、居室子機ラインＬ13、Ｌ13、・・・とアダプタ制御部７０４との間の信号伝送路、監視装置ラインＬ14、Ｌ14、・・・とアダプタ制御部７０４との間の信号伝送路のうち、少なくとも１の当該信号伝送路を形成するためのものである。また、住戸外側アダプタＩ／Ｆ７０１は、アダプタ制御部７０４とアダプタラインＬ2との間の信号伝送路を形成するためのものである。
【００２８】
アダプタ異常検出回路７０２は、居室親機２、２、・・・と当該住戸アダプタとの間を接続する居室親機ラインＬ10、Ｌ10、・・・について、断線等の異常状態を検出するためのものである。
【００２９】
アダプタタイマ７０３は、居室親機２、２、・・・の親機タイマ２０７による計時機能に連動して、ハンドセット通話の開始から終了するまでの通話時間を計時するためのものであり、このアダプタタイマ７０３の計時機能は、アダプタ制御部７０４に備えることもできる。また、アダプタ制御部７０４は、当該住戸アダプタの構成各部を制御するためのものであって、例えば、居室親機２、２、・・・の親機異常検出回路２０４にて異常状態が検出されたとき、又はアダプタ異常検出回路７０２にて異常状態が検出されたとき、予め成立している居室親機２、２、・・・の親機ハンドセット２０２によるハンドセット通話、又は親機マイク２００及び親機スピーカ２０１の使用によるハンズフリー通話から、外部通話機器を構成する前述の天井マイク３、３、・・・及び天井スピーカ４、４、・・・、居室子機５、５、・・・の子機マイク５００及び子機スピーカ５０１、警報監視装置６の監視装置マイク６００及び監視装置スピーカ６０１のうち少なくとも１のハンズフリー通話手段に切換えるように住戸内側アダプタＩ／Ｆ７００を制御するためのものである。
【００３０】
このように構成された本発明の実施例による集合住宅インターホンシステムにおいて、以下、具体的な動作について説明する。
【００３１】
なお、本発明の実施例において、集合玄関に居る来訪者が、複数の住戸のうち特定の住戸内に在室中の居住者又は管理室内に在室中の管理人を呼び出して呼出報知を行う動作と、居住者が管理人を呼び出して呼出報知を行う動作と、管理人が全ての居住者に対して一斉放送を行う動作とはそれぞれ、特許（公開、登録）公報等に記載される各種の集合住宅用のインターホンシステムにおいて公知・周知の動作であるため、説明は省略するものとする。
【００３２】
図１において、管理室内に在室中の管理人により呼び出された特定の居住者として例えば、１０１号室に在室中の居住者が該当し、この呼び出しを、自住戸に設置された居室親機２の親機スピーカ２０１から放音される呼出音や音声メッセージ等をもとに確認した後、親機ハンドセット２０２を取り上げると、フックスイッチ２０３がフックオンからフックオフに切換わる。
【００３３】
１０１号室に設置された居室親機２において、親機制御部２０８は、フックスイッチ２０３によるフックオンからフックオフへの切換えを検出し、親機タイマ２０７を能動として所定の通話時間、例えば、９０秒の計時を開始させるとともに、ハンドセット通話用音声処理部２０６を駆動し、さらには、住戸アダプタ７のアダプタ制御部７０４、管理室親機８及び制御機９をそれぞれ制御（詳述せず。）することで、親機ハンドセット２０２からハンドセット通話用音声処理部２０６、親機Ｉ／Ｆ２０９、居室親機ラインＬ10、住戸アダプタ７の住戸内側アダプタＩ／Ｆ７００、アダプタ制御部７０４、住戸外側アダプタＩ／Ｆ７０１、アダプタラインＬ2、制御機９、管理室ラインＬ3を経由して管理室親機８の管理室マイク８００及び管理室スピーカ８０１、又は管理室ハンドセット８０２との間の通話路が形成され、１０１号室の居住者にとっては、親機ハンドセット２０２の使用によるハンドセット通話を成立させることができる。
【００３４】
また、居室親機２の親機制御部２０８によれば、親機タイマ２０７にて計時されている所定の通話時間のタイムアップを検出したとき、又は１０１号室の居住者により親機ハンドセット２０２が元に位置に戻され、フックスイッチ２０３がフックオフからフックオンに切換わったとき、若しくは管理室親機８における所定の終話操作（詳述せず。）を検出したときには、ハンドセット通話用音声処理部２０６の動作を停止し、前述の通話路を遮断することにより、１０１号室の居住者にとっては、親機ハンドセット２０２の使用によるハンドセット通話が終了することになる。
【００３５】
次に、居室親機２の親機ハンドセット２０２の使用によりハンドセット通話を成立させている１０１号室の居住者が、例えば、高齢者であって、この高齢者が発作等で転倒し、親機ハンドセット２０２が脱落、断線等すると、この異常状態を親機異常検出回路２０４が検出し、親機制御部２０８にハンドセット異常状態信号を送出する。
【００３６】
１０１号室に設置された居室親機２において、親機制御部２０８は、親機異常検出回路２０４からのハンドセット異常状態信号を検出すると、親機タイマ２０７による所定の通話時間の計時動作を保持したまま、ハンドセット通話用音声処理部２０６の動作を停止する一方、ハンズフリー通話用音声処理部２０５を駆動することで、親機マイク２００及び親機スピーカ２０１からハンズフリー通話用音声処理部２０５、親機Ｉ／Ｆ２０９、居室親機ラインＬ10、住戸アダプタ７の住戸内側アダプタＩ／Ｆ７００、アダプタ制御部７０４、住戸外側アダプタＩ／Ｆ７０１、アダプタラインＬ2、制御機９、管理室ラインＬ3を経由して管理室親機８の管理室マイク８００及び管理室スピーカ８０１、又は管理室ハンドセット８０２との間の通話路を形成することができる。
【００３７】
また、１０１号室に設置された居室親機２において、親機制御部２０８は、親機異常検出回路２０４からのハンドセット異常状態信号を検出すると、親機タイマ２０７による所定の通話時間の計時動作を保持したまま、ハンドセット通話用音声処理部２０６の動作を停止する一方、前述とは異なる制御として、自居室親機とは異なる別途の外部通話機器を能動とするためのハンズフリー通話切換信号を生成し、親機Ｉ／Ｆ２０９、居室親機ラインＬ10、住戸アダプタ７の住戸内側アダプタＩ／Ｆ７００を経由してアダプタ制御部７０４に送出する。このハンズフリー通話切換信号を検出したアダプタ制御部７０４は、住戸内側アダプタＩ／Ｆ７００を制御し、マイクラインＬ11、スピーカラインＬ12を経由して接続された天井マイク３及び天井スピーカ４と、居室子機ラインＬ13を経由して接続された居室子機５の子機マイク５００及び子機スピーカ５０１と、監視装置ラインＬ14を経由して接続された警報監視装置６の監視装置マイク６００及び監視装置スピーカ６０１とのうち、少なくとも１の外部通信機器の当該マイク及び当該スピーカとアダプタ制御部７０４、住戸内側アダプタＩ／Ｆ７０１、アダプタラインＬ2、制御機９、管理室ラインＬ3を経由して管理室親機８の管理室マイク８００及び管理室スピーカ８０１、又は管理室ハンドセット８０２との間の通話路を形成することができる。
【００３８】
これにより、１０１号室内に在室中の居住者が例えば、高齢者であって、この高齢者が発作等により転倒し、親機ハンドセット２０２が脱落、断線等した場合であっても、管理室内に在室中の管理人にとっては、居室親機２の親機スピーカ２０１、天井スピーカ４、居室子機５の子機スピーカ５０１及び警報監視装置６の監視装置スピーカ６０１のうち少なくとも１の当該スピーカからの出力音に基づき居住者に声を掛けることができるばかりでなく、居室親機２の親機マイク２００、天井マイク３、居室子機５の子機マイク５００及び警報監視装置６の監視装置マイク６００のうち少なくとも１の当該マイクからの入力音に基づき居住者の様子を伺い知ることもでき、必要に応じて迅速な対応が可能となる。また、ハンドセット通話からハンズフリー通話に切換えられても、居室親機２の親機タイマ２０７による通話時間の計時が延長されることがないため、無駄に長い時間の通話動作を回避できる。
【００３９】
次に、１０１号室において、居室親機２の親機マイク２００及び親機スピーカ２０１の使用によるハンズフリー通話、又は親機ハンドセット２０２の使用によるハンドセット通話のうち何れかの成立中において、居室親機２及び住戸アダプタ７の間を接続する居室親機ラインＬ10に断線等の異常状態が発生すると、この異常状態をアダプタ異常検出回路７０２が検出し、アダプタ制御部７０４にライン異常状態信号を送出する。
【００４０】
１０１号室に設置された住戸アダプタ７において、アダプタ異常検出回路７０２からのライン異常状態信号を検出したアダプタ制御部７０４は、通話停止信号を生成し、住戸内側アダプタＩ／Ｆ７００、居室親機ラインＬ10、居室親機２の親機Ｉ／Ｆ２０９を経由して親機制御部２０８に送出する。この通話停止信号を検出した親機制御部２０８は、親機タイマ２０７の計時を停止させるとともに、予め駆動しているハンズフリー通話用音声処理部２０５又はハンドセット通話用音声処理部２０６の動作を停止させることにより、居室親機２から居室親機ラインＬ10を経由して住戸アダプタ７の間の通話路が遮断されることになる。
【００４１】
また、１０１号室に設置された住戸アダプタ７において、アダプタ異常検出回路７０２からのライン異常状態信号を検出したアダプタ制御部７０４は、アダプタタイマ７０３を能動とし、居室親機２の親機タイマ２０７にて計時されていたハンドセット通話の開始からの所定の通話時間の計時動作を継続させるとともに、住戸内側アダプタＩ／Ｆ７００を制御し、マイクラインＬ11、スピーカラインＬ12を経由して接続された天井マイク３及び天井スピーカ４と、居室子機ラインＬ13を経由して接続された居室子機５の子機マイク５００及び子機スピーカ５０１と、監視装置ラインＬ14を経由して接続された警報監視装置６の監視装置マイク６００及び監視装置スピーカ６０１とのうち、少なくとも１の外部通信機器の当該マイク及び当該スピーカと、アダプタ制御部７０４、住戸外側アダプタＩ／Ｆ７０１、アダプタラインＬ2、制御機９、管理室ラインＬ3を経由して管理室親機８の管理室マイク８００及び管理室スピーカ８０１、又は管理室ハンドセット８０２との間の通話路を形成することができる。
【００４２】
これにより、１０１号室の居室親機２及び住戸アダプタ７の間を接続する居室親機ラインＬ10に断線等の異常状態が発生した場合であっても、管理室内に在室中の管理人にとっては、天井スピーカ２０１、居室子機５の子機スピーカ５０１及び警報監視装置６の監視装置スピーカ６０１のうち、少なくとも１の当該スピーカからの出力音に基づき居住者に声を掛けることができるばかりでなく、天井マイク３、居室子機５の子機マイク５００及び警報監視装置６の監視装置マイク６００のうち何れか１の当該マイクからの入力音に基づき居住者の様子を伺い知ることもでき、必要に応じて迅速な対応が可能となる。また、ハンドセット通話からハンズフリー通話に切換えられても、居室親機２の親機タイマ２０７による通話時間の計時動作が住戸アダプタ７のアダプタタイマ７０３にて継続され、延長されることがないため、無駄に長い時間の通話動作を回避できる。
【００４３】
なお、前述までの説明によれば、居室親機２、２、・・・において成立されるハンドセット通話又はハンズフリー通話の相手先として、管理室親機８を適用したが、これに限定されるものではなく、集合玄関機１が適用される場合であっても同様な効果を奏することができる。
【００４４】
本発明の集合住宅インターホンシステムにおいては、特定の実施の形態をもって説明してきたが、この形態に限定されるものでなく、本発明の効果を奏する限り、これまで知られた如何なる構成の集合住宅インターホンシステムであっても採用できるということはいうまでもないことである。
【符号の説明】
【００４５】
１……集合玄関機
２、２、・・・……居室親機
２００……親機マイク
２０１……親機スピーカ
２０２……親機ハンドセット
２０４……親機異常検出回路
２０７……親機タイマ
２０８……親機制御部
３、３、・・・……天井マイク（外部通話機器）
４、４、・・・……天井スピーカ（外部通話機器）
５、５、・・・……拡声通話用子機（外部通話機器）
６、６、・・・……警報監視装置（外部通話機器）
７、７、・・・……住戸アダプタ
７００……住戸内側アダプタＩ／Ｆ（インターフェース）
７０２……アダプタ異常検出回路
７０３……アダプタタイマ
７０４……アダプタ制御部
８……管理室親機
９……制御機
【図１】
0005380272.tif 000002
【図２】
0005380272.tif 000003